(57)【特許請求の範囲】
【請求項１】
上流側から入力された信号を分岐又は分配して下流側に出力する伝送機器であって、
上流側からの信号の入力を受ける幹線側入力端子と、
下流側へ信号を出力する幹線側出力端子と、
下流側へ信号を出力する分岐側出力端子と、
分岐部と、
切り替え部と、
前記幹線側出力端子又は前記分岐側出力端子に入力された電源を、前記分岐部及び前記切り替え部を介することなく、前記幹線側入力端子に給電する第１給電路とを備え、
前記分岐部は、上流側からの信号の入力を受ける幹線側内部入力端子と、下流側へ信号を出力するものであって前記幹線側出力端子に接続された幹線側内部出力端子と、下流側へ信号を出力する分岐側内部出力端子と、
前記切り替え部は、
当該伝送機器の下流側に配置された電源供給器から供給され前記幹線側出力端子又は前記分岐側出力端子に入力された電源によって駆動され、
前記電源供給器から給電が行われている場合には、前記幹線側入力端子を前記分岐部の幹線側内部入力端子に接続すると共に、前記分岐側出力端子を前記分岐部の前記分岐側内部出力端子に接続し、
前記電源供給器から給電が行われていない場合には、前記幹線側入力端子を、前記分岐部を介することなく、前記分岐側出力端子に接続する、
伝送機器。
【請求項２】
外部電源から供給された電源の入力を受ける電源入力端子と、
前記電源入力端子に入力された電源を、前記分岐部及び前記切り替え部を介することなく、前記幹線側入力端子に給電する第２給電路、
を備える請求項１に記載の伝送機器。
【請求項３】
前記切り替え部は、
前記電源入力端子に入力された電源によって駆動され、
前記外部電源から給電が行われている場合には、前記幹線側入力端子を前記分岐部の幹線側内部入力端子に接続すると共に、前記分岐側出力端子を前記分岐部の前記分岐側内部出力端子に接続し、
前記外部電源から給電が行われていない場合には、前記幹線側入力端子を、前記分岐部を介することなく、前記分岐側出力端子に接続する、
請求項２に記載の伝送機器。
【請求項４】
前記幹線側出力端子を複数設け、
複数の前記幹線側出力端子と前記分岐部の前記幹線側内部出力端子との間に、分配部を設けた、
請求項１から３のいずれか一項に記載の伝送機器。
【請求項５】
光伝送路を介して送信された光信号をＲＦ信号又はＦＭ信号に変換して出力する光受信機と、
前記光受信機にて変換されたＲＦ信号を受信するテレビ受像機と、
前記光受信機にて変換されたＲＦ信号又はＦＭ信号を受信する告知放送受信機と、
前記光受信機にて変換されたＲＦ信号とＦＭ信号を分岐又は分配し、当該分岐又は分配されたＲＦ信号を前記テレビ受像機に送信すると共に、当該分岐又は分配されたＲＦ信号とＦＭ信号を前記告知放送受信機に送信する伝送機器と、
を備えた光受信システムであって、
前記伝送機器を、前記請求項１から４のいずれか一項に記載の伝送機器として構成した、
光受信システム。
【請求項６】
前記伝送機器と前記告知放送受信機との相互間に、前記伝送機器を介して前記光受信機に対して電源を供給するための電源供給器を配置した、
請求項５に記載の光受信システム。
【発明の詳細な説明】
【技術分野】
【０００１】
本発明は、光伝送システムにおいて光信号を受信するための光受信システムと、この光受信システム等に用いられて信号の分岐又は分配を行う伝送機器に関する。
【背景技術】
【０００２】
近年では、光通信技術の進展に伴い、光ケーブルを用いた光伝送システムが普及している。この光伝送システムによれば、数１０Ｋｍ程度の無中継伝送が可能となるため、伝送システムを容易に広域化できる。この光伝送システムは、概略的には、送信者側に配置した光送信機と、受信者側に配置した光受信機（光終端端末装置、ＯＮＵ：Ｏｐｔｉｃａｌ  Ｎｅｔｗｏｒｋ  Ｕｎｉｔ）とを、光ケーブルにて構成された長距離伝送路を介して接続して構成されている。このように構成された光伝送システムにおいて、送信側では、ＴＶ信号や告知放送信号が混合された電気信号を光送信機によって光信号に変換し、この光信号を光ケーブルを介して送信する。一方、受信側では、この光信号を光受信機を介して受信してＲＦ信号やＦＭ信号に変換し、これらＲＦ信号をテレビ受像機と告知放送受信機に出力する。
【０００３】
図２０は、従来の光受信システム３００の構成図である。この光受信システム３００において、光受信機３０１は、光信号をＲＦ信号に変換した後、このＲＦ信号からＦＭ信号を取得し、これらＲＦ信号とＦＭ信号を混合して出力する。この信号は、同軸ケーブルを介して分岐器３０２にて分岐され、テレビ受像機３０３と告知放送受信機３０４に送信される（例えば、特許文献１参照、図５参照）。
【先行技術文献】
【特許文献】
【０００４】
【特許文献１】特開２００９−３３４０５号公報
【発明の概要】
【発明が解決しようとする課題】
【０００５】
しかしながら、上記図２０に示した如き従来の光受信機では、テレビ受像機や告知放送受信機の接続形態の観点から問題があった。すなわち、光受信機としては、従来から、無給電式の光受信機も実用化されている。この無給電式の光受信機は、受信者側の電源供給の有無にかかわらず信号が出力できる光受信機であり、給電時には、外部からの電力供給を受けて動作し、停電（無給電）時には、内部のＰＤ（Ｐｈｏｔｏ  Ｄｉｏｄｅ）の起電力により動作することができる光受信機であり、このような無給電式の光受信機を用いることで、無給電時であっても告知放送受信機からの非常用告知放送を行うこと等が可能となる。しかしながら、このような無給電式の光受信機は、停電時の出力が極めて小さい（給電時の出力と比較して例えば数十ｄＢ小さい）。そこで、従来、光受信機の下流側の分岐器における信号損失を最小限とすべく、分岐器の幹線端子に告知放送受信機を接続することで、停電時には告知放送受信機のみに信号が伝送できるようにしていた。しかしながら、このような接続形態では、テレビ受像機を分岐器の分岐端子に接続せざる負えないため、複数台のテレビ受像機を接続する場合には、各テレビ受像機に伝送する信号の出力が小さくなり、給電時のテレビ受像の観点からは、改善すべき余地があった。
【０００６】
本発明は、上記に鑑みてなされたものであって、給電時と無給電時の各々に適した形態で各機器の接続を行うことができる、光受信システム及び伝送機器を提供することを目的とする。
【課題を解決するための手段】
【０００７】
上述した課題を解決し、目的を達成するために、請求項１に記載の伝送機器は、上流側から入力された信号を分岐又は分配して下流側に出力する伝送機器であって、上流側からの信号の入力を受ける幹線側入力端子と、下流側へ信号を出力する幹線側出力端子と、下流側へ信号を出力する分岐側出力端子と、分岐部と、切り替え部と、前記幹線側出力端子又は前記分岐側出力端子に入力された電源を、前記分岐部及び前記切り替え部を介することなく、前記幹線側入力端子に給電する第１給電路とを備え、前記分岐部は、上流側からの信号の入力を受ける幹線側内部入力端子と、下流側へ信号を出力するものであって前記幹線側出力端子に接続された幹線側内部出力端子と、下流側へ信号を出力する分岐側内部出力端子と、前記切り替え部は、当該伝送機器の下流側に配置された電源供給器から供給され前記幹線側出力端子又は前記分岐側出力端子に入力された電源によって駆動され、前記電源供給器から給電が行われている場合には、前記幹線側入力端子を前記分岐部の幹線側内部入力端子に接続すると共に、前記分岐側出力端子を前記分岐部の前記分岐側内部出力端子に接続し、前記電源供給器から給電が行われていない場合には、前記幹線側入力端子を、前記分岐部を介することなく、前記分岐側出力端子に接続する。
【００１０】
請求項２に記載の伝送機器は、請求項１に記載の伝送機器において、外部電源から供給された電源の入力を受ける電源入力端子と、前記電源入力端子に入力された電源を、前記分岐部及び前記切り替え部を介することなく、前記幹線側入力端子に給電する第２給電路を備える。
【００１１】
請求項３に記載の伝送機器は、請求項２に記載の伝送機器において、前記切り替え部は、前記電源入力端子に入力された電源によって駆動され、前記外部電源から給電が行われている場合には、前記幹線側入力端子を前記分岐部の幹線側内部入力端子に接続すると共に、前記分岐側出力端子を前記分岐部の前記分岐側内部出力端子に接続し、前記外部電源から給電が行われていない場合には、前記幹線側入力端子を、前記分岐部を介することなく、前記分岐側出力端子に接続する。
【００１２】
請求項４に記載の伝送機器は、請求項１から３のいずれか一項に記載の伝送機器において、前記幹線側出力端子を複数設け、複数の前記幹線側出力端子と前記分岐部の前記幹線側内部出力端子との間に、分配部を設けた。
【００１３】
請求項５に記載の光受信システムは、光伝送路を介して送信された光信号をＲＦ信号又はＦＭ信号に変換して出力する光受信機と、前記光受信機にて変換されたＲＦ信号を受信するテレビ受像機と、前記光受信機にて変換されたＲＦ信号又はＦＭ信号を受信する告知放送受信機と、前記光受信機にて変換されたＲＦ信号とＦＭ信号を分岐又は分配し、当該分岐又は分配されたＲＦ信号を前記テレビ受像機に送信すると共に、当該分岐又は分配されたＲＦ信号とＦＭ信号を前記告知放送受信機に送信する伝送機器とを備えた光受信システムであって、前記伝送機器を、前記請求項１から４のいずれか一項に記載の伝送機器として構成した。
【００１４】
請求項６に記載の光受信システムは、請求項５に記載の光受信システムにおいて、前記伝送機器と前記告知放送受信機との相互間に、前記伝送機器を介して前記光受信機に対して電源を供給するための電源供給器を配置した。
【発明の効果】
【００１５】
このように、請求項１に記載の伝送機器によれば、伝送機器に対する給電が行われている場合には、伝送機器の幹線系統を介して信号をテレビ受像機に出力できるので、伝送機器に対して分配器等を介して複数台のテレビ受像機を接続した場合であっても、各テレビ受像機に対して十分な出力の信号を伝送することができる。また、伝送機器に対する給電が行われていない場合には、分岐部を介することなく、信号を告知放送受信機に出力できるので、分岐部における信号損失を生じさせることなく、告知放送受信機に対して十分な出力の信号を伝送することができる。従って、伝送機器に対して、給電時と無給電時の各々に適した形態で、テレビ受像機や告知放送受信機の接続を行うことができる。
また、幹線側出力端子又は分岐側出力端子に入力された電源を、切り替え部の切り替え状態に関わらず、幹線側入力端子を介して、その上流の光受信機に供給することができる。従って、切り替え部にサージが発生しなくなり、サージによって切り替え部にストレスが生じることを防止できる。また、電源を分岐器を介して常に光受信機に給電することで、光受信機を自己発熱させて耐湿度性を高めておくことで、光受信機が湿度によりダメージを受けることを防止できる。
また、電源供給器からの電源供給の有無に応じて切り替え部を自動的に動作させることが可能になるので切り替え部を手動で操作する手間を省くことができると共に、手動操作時の誤動作を防止することができる。
【００１８】
また、請求項２に記載の伝送機器によれば、伝送機器の下流側の電源供給器を省略することができるので、光受信システムを一層簡易かつ安価に構成することができる。
【００１９】
また、請求項３に記載の伝送機器によれば、外部電源からの電源供給の有無に応じて切り替え部を自動的に動作させることが可能になるので切り替え部を手動で操作する手間を省くことができると共に、手動操作時の誤動作を防止することができる。
【００２０】
また、請求項４に記載の伝送機器によれば、分岐機能と分配機能を統合することができ、分配器を別途に設ける必要がなくなるので、光受信システムを一層簡易かつ安価に構成することができる。
【００２１】
また、請求項５に記載の光受信システムによれば、伝送機器に対する給電が行われている場合には、伝送機器の幹線系統を介して信号をテレビ受像機に出力できるので、伝送機器に対して分配器等を介して複数台のテレビ受像機を接続した場合であっても、各テレビ受像機に対して十分な出力の信号を伝送することができる。また、伝送機器に対する給電が行われていない場合には、分岐部を介することなく、信号を告知放送受信機に出力できるので、分岐部における信号損失を生じさせることなく、告知放送受信機に対して十分な出力の信号を伝送することができる。従って、伝送機器に対して、給電時と無給電時の各々に適した形態で、テレビ受像機や告知放送受信機の接続を行うことができる。
【００２２】
請求項６に記載の光受信システムによれば、伝送機器を配置した場合においても、伝送機器を使用していない従来の光受信システムと同様に、電源供給器の電源により光受信機を動作させることが可能になる。
【図面の簡単な説明】
【００２３】
【図１】本発明の実施の形態１に係る光受信システムの構成図である。
【図２】実施の形態１に係る分岐器の回路図である。
【図３】実施の形態１に係る分岐部の回路図である。
【図４】実施の形態２に係る分岐器の回路図である。
【図５】実施の形態３に係る分岐器の回路図である。
【図６】実施の形態４に係る分岐器の回路図である。
【図７】実施の形態５に係る分岐器の回路図である。
【図８】実施の形態６に係る分岐器の回路図である。
【図９】実施の形態７に係る分岐器の回路図である。
【図１０】実施の形態８に係る分岐器の回路図である。
【図１１】実施の形態９に係る分岐器の回路図である。
【図１２】実施の形態１０に係る分岐器の回路図である。
【図１３】実施の形態１１に係る分岐器の回路図である。
【図１４】実施の形態１２に係る分岐器の回路図である。
【図１５】実施の形態１３に係る分岐器の回路図である。
【図１６】実施の形態１４に係る光受信システムの構成図である。
【図１７】実施の形態１４に係る分配器の回路図である。
【図１８】実施の形態１４に係る分配部の回路図である。
【図１９】実施の形態１５に係る分配器の回路図である。
【図２０】従来の光受信システムの構成図である。
【発明を実施するための形態】
【００２４】
以下に添付図面を参照して、この発明に係る光受信システム及び伝送機器の各実施の形態を詳細に説明する。ただし、これら各実施の形態によって本発明が限定されるものではない。
【００２５】
〔実施の形態１〕
最初に、実施の形態１について説明する。この実施の形態１は、最も簡易に構成された分岐器に係る形態である。
【００２６】
（構成）
図１は、実施の形態１に係る光受信システム１の構成図である。この図１に示すように、光受信システム１は、光受信機１０と、１台の告知放送受信機２０と、複数台のテレビ受像機３０とを、分岐器４０及び分配器５０を介して、図示のように接続して構成されている。また、この光受信システム１には、パワーインサータ（各図では「ＰＩ」と示す）６０が配置されている。なお、告知放送受信機２０及びテレビ受像機３０については、従来と同様に構成することができるので、その詳細な説明は省略する。また、光受信機１０、分配器５０、及びパワーインサータ６０についても、基本的には従来と同様に構成することができるので、以下では、特に本実施の形態に関連する構成のみを説明し、その他の詳細な説明は省略する。
【００２７】
（構成−光受信機）
光受信機１０は、電源供給の有無にかかわらず光電変換した信号を出力することができる無給電式の光受信機であって、ＰＤ、アンプ、出力端子１１を備えて構成されている（ＰＤ及びアンプの図示は省略する）。この光受信機１０は、当該光受信機１０に対するパワーインサータ６０からの給電が行われている場合には、当該パワーインサータ６０から供給された電力を出力端子１１を介して受電し、この電力を用いて、ＰＤにて光信号を電気信号（以下、ＲＦ信号）に変換し、このＲＦ信号からＦＭ信号を取得し、これらＲＦ信号とＦＭ信号を混合して出力端子１１を介して外部に出力する。また、光受信機１０は、当該光受信機１０に対するパワーインサータ６０からの給電が行われていない場合には、ＰＤを無バイアスモードで駆動することにより起電力を発生させ、この電力を用いてＲＦ信号を生成し、このＲＦ信号から取得されたＦＭ信号を出力端子１１を介して外部に出力する。以下では、光受信機１０から出力されるＲＦ信号、ＦＭ信号、あるいはこれらの混合信号を、特に相互に区別する必要がない場合には単に「信号」と称する。このような無給電式の光受信機１０の具体的な回路構成としては、上述の特許文献１に開示されている構成等を適用することができる。なお、当該光受信機１０に対するパワーインサータ６０からの給電が行われている場合とは、通常は非停電時を意味し、当該光受信機１０に対するパワーインサータ６０からの給電が行われていない場合とは、通常は停電時を意味するが、後者の場合としては、非停電時であっても、パワーインサータ６０が故障したり、パワーインサータ６０の電源が誤って抜かれたりする場合も含み得る。以下では、光受信システム１に配置された各機器に対して電源が供給されている状態を「給電時」と称し、これら各機器に対して電源が供給されていない状態をその原因に関わらず「無給電時」と称する。
【００２８】
（構成−分岐器）
分岐器４０は、上流側から入力された信号を分岐して下流側に出力する伝送機器である。図２には、分岐器４０の回路図を示す。この図２に示すように、分岐器４０は、幹線側入力端子４１、幹線側出力端子４２、分岐側出力端子４３、分岐部４４、切り替え部４５、直流カットコンデンサ４６〜４８、及びチョークコイル４９を備えて構成されている。
【００２９】
幹線側入力端子４１は、上流側からの信号の入力を受ける入力端子であり、光受信機１０の出力端子１１と同軸ケーブルを介して接続されている。幹線側出力端子４２は、下流側へ信号を出力する端子であり、分岐部４４の後述する幹線側内部出力端子４４ｂと接続されると共に、分岐器４０の下流の分配器５０と同軸ケーブルを介して接続されている。分岐側出力端子４３は、下流側へ信号を出力する端子であり、分岐器４０の下流のパワーインサータ６０と同軸ケーブルを介して接続されている。
【００３０】
分岐部４４は、従来の一般的な分岐器と同様の機能を有するもので、上流側からの信号の入力を受ける幹線側内部入力端子４４ａと、下流側へ信号を出力するものであって直流カットコンデンサ４７を介して幹線側出力端子４２に接続された幹線側内部出力端子４４ｂと、下流側へ信号を出力する分岐側内部出力端子４４ｃとを備える（これら各端子は図３に図示）。切り替え部４５は、幹線側入力端子４１、幹線側出力端子４２、及び分岐側出力端子４３と、分岐部４４とを、切り替え可能に接続するものであり、具体的には、第１スイッチ４５ａと第２スイッチ４５ｂを備えて構成されている。これら第１スイッチ４５ａや第２スイッチ４５ｂは、手動の機械式スイッチであって、ユーザやメンテナンス者が任意のタイミングで手動操作することができる。直流カットコンデンサ４６は、幹線側入力端子４１への直流成分の流入をカットするコンデンサであり、直流カットコンデンサ４７は、幹線側出力端子４２への直流成分の流入をカットするコンデンサであり、直流カットコンデンサ４８は、分岐側出力端子４３への直流成分の流入をカットするコンデンサである。
【００３１】
チョークコイル４９は、分岐側出力端子４３に入力された電源を、分岐部４４及び切り替え部４５を介することなく、幹線側入力端子４１に給電する第１給電路を構成する。この構成では、第１スイッチ４５ａや第２スイッチ４５ｂが図４の点線側（給電時）と実線側（無給電時）のいずれに切り替えられている場合であっても、この切り替え状態に関わらず、幹線側入力端子４１と分岐側出力端子４３とがチョークコイル４９を介して接続される。このため、パワーインサータ６０から分岐側出力端子４３に入力された電源が、チョークコイル４９を介して幹線側入力端子４１に入力され、その上流の光受信機１０に供給される。従って、第１スイッチ４５ａ及び第２スイッチ４５ｂが点線側に切り替えられている場合であって、パワーインサータ６０から分岐側出力端子４３に入力された電源が幹線側出力端子４２に入力されている場合において、間違えて又は故意に第１スイッチ４５ａ及び第２スイッチ４５ｂが実線側に切り替えられた場合であっても、第１スイッチ４５ａや第２スイッチ４５ｂにサージが発生しなくなり、サージによって第１スイッチ４５ａや第２スイッチ４５ｂにストレスが生じることを防止できる。また、一般に光受信機１０は屋外に設置されることが多く、光受信機１０を電源ＯＦＦ状態としたままで長期間放置しておくと、光受信機１０が湿度によりダメージを受けることがあるが、パワーインサータ６０からの電源を分岐器４０を介して常に光受信機１０に給電することで、光受信機１０を自己発熱させて耐湿度性を高めておくことで、光受信機１０が湿度によりダメージを受けることを防止できる。ただし、分岐器４０を非電通とする場合には、チョークコイル４９を省略してもよく、このように分岐器４０を非電通とした場合であっても、光受信機１０と分岐器４０の相互間にパワーインサータ６０を配置することで、光受信機１０への電源供給を行うことが可能になる。あるいは、幹線側入力端子４１と幹線側出力端子４２とをチョークコイル４９を介して接続してもよく、この場合には、パワーインサータ６０を分岐器４０の幹線側出力端子４２の下流側に配置することで、光受信機１０への電源供給を行うことが可能になる。
【００３２】
（構成−分岐器−分岐部）
さらに、分岐器４０の分岐部４４の構成について説明する。図３には、分岐部４４の回路図を示す。この図３に示すように、分岐部４４は、上述の幹線側内部入力端子４４ａ、幹線側内部出力端子４４ｂ、及び分岐側内部出力端子４４ｃに加えて、高周波トランス４４ｄ及び抵抗４４ｅを図示のように接続して構成されている。この図３から明らかなように、分岐部４４の内部の送電系統は、幹線側内部入力端子４４ａから幹線側内部出力端子４４ｂに至る系統が幹線系統となっており、幹線側内部入力端子４４ａから分岐側内部出力端子４４ｃに至る系統が分岐線系統となっている。
【００３３】
（構成−パワーインサータ）
図１において、パワーインサータ６０は、光受信機１０に対してＤＣ電源（電圧）を給電するための電源供給器である。このパワーインサータ６０は、分岐器４０の分岐側出力端子４３と告知放送受信機２０との相互間に接続されている。
【００３４】
（動作）
次に、このように構成された光受信システム１の動作について説明する。まず、給電時には、第１スイッチ４５ａ及び第２スイッチ４５ｂを図２の点線の状態に切り替えることにより、幹線側入力端子４１を分岐部４４の幹線側内部入力端子４４ａに接続し、分岐側出力端子４３を分岐部４４の分岐側内部出力端子４４ｃに接続する。この状態においては、パワーインサータ６０から供給された電力が、分岐器４０の分岐側出力端子４３、チョークコイル４９、及び幹線側入力端子４１を順次介して、光受信機１０に供給される。そして、光受信機１０の出力端子から出力された信号が、分岐器４０の幹線側入力端子４１に入力され、分岐部４４で分岐されて、幹線側出力端子４２と分岐側出力端子４３を介して出力される。幹線側出力端子４２から出力された信号は、分配器５０で分配されて、各テレビ受像機３０に入力される。分岐側出力端子４３から出力された信号は、告知放送受信機２０に入力される。この結果、テレビ受像機３０によるＴＶ受像と、告知放送受信機２０による告知放送が可能になる。
【００３５】
特に、このような給電時の動作によれば、幹線側入力端子４１から入力された信号のうち、大部分を分岐部４４を介して幹線側出力端子４２に出力し（損失約１ｄＢ）、残りの部分を分岐側出力端子４３に出力することができる（損失約１０ｄＢ）。このため、分岐器４０の下流側において、分配器５０を介して複数のテレビ受像機３０に信号を分配した場合であっても、各テレビ受像機３０に対して十分な出力の信号を送信することが可能になる。
【００３６】
一方、無給電時には、第１スイッチ４５ａ及び第２スイッチ４５ｂを図２の実線の状態に切り替えることにより、幹線側入力端子４１を、分岐部４４を介することなく、分岐側出力端子４３に接続する。この状態においては、光受信機１０は無給電時の所定の機能に従って、出力端子１１からＦＭ信号を出力する。そして、このＦＭ信号が、分岐器４０の幹線側入力端子４１に入力され、幹線側出力端子４２から出力される。分岐側出力端子４３から出力されたＦＭ信号は、告知放送受信機２０に入力される。この結果、無給電時においても、告知放送受信機２０による告知放送が可能になる。
【００３７】
ここで、上述したように、無給電時における光受信機１０からのＦＭ信号の出力は、給電時に比べて極めて小さいが（給電時の出力と比較して約４０ｄＢ程度小さいが）、このような無給電時の動作によれば、幹線側入力端子４１に入力された信号の全てを、分岐部４４を介することなく、分岐側出力端子４３に出力することができる（損失約０ｄＢ）。この結果、無給電時においても、告知放送受信機２０に対して十分な出力の信号を送信することが可能になる。
【００３８】
なお、このような給電時と無給電時における第１スイッチ４５ａと第２スイッチ４５ｂの手動切り替えの操作忘れ等を防止するため、告知放送受信機２０からユーザに対して、当該告知放送受信機２０に対する外部電源からの電源の供給状態に応じて、ユーザに対する注意喚起を音声や表示により出力してもよい。例えば、告知放送受信機２０の図示しない制御部は、当該告知放送受信機２０に対する外部電源からの電源の供給状態を監視しており、電源が所定時間以上遮断された場合であって、かつ、自己に対して上流側から所定レベル以上の信号が入力されなくなった場合には、停電等が発生したものの、ユーザが第１スイッチ４５ａや第２スイッチ４５ｂの手動切り替えを忘れているために信号の入力がない可能性が高いとし、「第１スイッチ及び第２スイッチを無給電側に切り替えて下さい」のような音声メッセージを出力したり、同様の文字メッセージを図示しない液晶パネル等に表示したり、図示しないスイッチ確認要求灯の如き所定の表示灯を点灯又は点滅させたりすることで、ユーザに対する注意喚起を行ってもよい。また、その後、電源が所定時間以上継続して供給された場合であって、かつ、自己に対して上流側から所定レベル以上の信号が入力されなくなった場合には、停電等が復旧したものの、ユーザが第１スイッチ４５ａや第２スイッチ４５ｂの手動切り替えを忘れているために信号の入力がない可能性が高いとし、「第１スイッチ及び第２スイッチを給電側に切り替えて下さい」のような音声メッセージを出力したり、同様の文字メッセージを液晶パネル等に表示したり、スイッチ確認要求灯の如き所定の表示灯を点灯又は点滅させたりすることで、ユーザに対する注意喚起を行ってもよい。
【００３９】
（効果）
このように実施の形態１によれば、分岐器４０に対する給電が行われている場合には、分岐器４０の幹線系統を介して信号をテレビ受像機３０に出力できるので、分岐器４０に対して分配器５０等を介して複数台のテレビ受像機３０を接続した場合であっても、各テレビ受像機３０に対して十分な出力の信号を伝送することができる。また、分岐器４０に対する給電が行われていない場合には、分岐部４４を介することなく、信号を告知放送受信機２０に出力できるので、分岐部４４における信号損失を生じさせることなく、告知放送受信機２０に対して十分な出力の信号を伝送することができる。従って、分岐器４０に対して、給電時と無給電時の各々に適した形態で、テレビ受像機３０や告知放送受信機２０の接続を行うことができる。
【００４０】
〔実施の形態２〕
次に、実施の形態２について説明する。この実施の形態２は、実施の形態１と同様の分岐器に対して、さらに、幹線側出力端子からの電源供給を可能とした形態である。ただし、実施の形態２の構成及び動作に関して、特に説明なき場合には実施の形態１と同様であるものとし、実施の形態１と同様の構成に対しては、必要に応じて、実施の形態１の説明で使用したものと同じ符号を付す。
【００４１】
（構成）
図４は、実施の形態２に係る分岐器７０の回路図である。この図４に示すように、分岐器７０において、幹線側入力端子４１と幹線側出力端子４２とを接続する線路には、チョークコイル７１、７２とダイオード７３が設けられており、幹線側入力端子４１と分岐側出力端子４３とを接続する線路には、実施の形態１のチョークコイル４９に加えて、チョークコイル７４とダイオード７５が設けられている。チョークコイル７１、７２は、幹線側入力端子４１と幹線側出力端子４２とを、切り替え部４５を介することなく、相互に接続する第１給電路を構成する。チョークコイル４９、７４は、幹線側入力端子４１と分岐側出力端子４３とを、切り替え部４５を介することなく、相互に接続する第１給電路を構成する。このような構成によれば、パワーインサータ６０を、幹線側出力端子４２の下流側と分岐側出力端子４３の下流側とのいずれに設けた場合であっても、光受信機１０への電源供給を行うことができ、光受信システム１の構成の自由度を高めることができる。ダイオード７３は、幹線側出力端子４２への電源の逆流を防止するものであり、ダイオード７５は、分岐側出力端子４３への電源の逆流を防止するものである。また、この構成では、幹線側出力端子４２分岐側出力端子４３の両方から電圧が印加された場合、電圧源同士の接続になるために電源が故障する可能性があるが、ダイオード７３、７５を入れているため、電源同士の衝突を防止することができる。
【００４２】
（効果）
このように実施の形態２によれば、実施の形態１と同様の効果に加えて、パワーインサータ６０を、幹線側出力端子４２の下流側と分岐側出力端子４３の下流側とのいずれに設けることもできるので、光受信システム１の構成の自由度を高めることができる。
【００４３】
〔実施の形態３〕
次に、実施の形態３について説明する。この実施の形態３は、実施の形態１と同様の分岐器の切り替え部を、当該分岐器の下流側に配置された電源供給器から供給された電源によって駆動されるように構成した形態である。ただし、実施の形態３の構成及び動作に関して、特に説明なき場合には実施の形態１と同様であるものとし、実施の形態１と同様の構成に対しては、必要に応じて、実施の形態１の説明で使用したものと同じ符号を付す。
【００４４】
（構成）
図５は、実施の形態３に係る分岐器８０の回路図である。この図５に示すように、分岐器８０には、リレー８１、８２とチョークコイル８３が設けられている。これらリレー８１、８２は、分岐側出力端子４３に接続されており、分岐側出力端子４３の下流側に配置されたパワーインサータ６０から供給され分岐側出力端子４３に入力された電源によって駆動される。このうち、一方のリレー８１は、第１スイッチ４５ａを駆動するものであり、他方のリレー８２は、第２スイッチ４５ｂを駆動するものである。そして、給電時には、リレー８１は、幹線側入力端子４１を分岐部４４の幹線側内部入力端子４４ａに接続し、他方のリレー８２は、分岐側出力端子４３を分岐部４４の分岐側内部出力端子４４ｃに接続する。無給電時には、これらリレー８１、８２は、幹線側入力端子４１を、分岐部４４を介することなく、分岐側出力端子４３に接続する。また、チョークコイル８３は、リレー８１、８２のコイルラインに対する交流成分をカットするコイルであり、分岐側出力端子４３とリレー８１、８２の相互間に接続されている。ただし、リレー８１、８２の駆動電流が小さい場合には、チョークコイル８３に代えて、単なるコイルを使用してもよい。また、リレー８１、８２のコイルで交流成分をカットできる場合には、チョークコイル８３を省略してもよい。
【００４５】
（効果）
このように実施の形態３によれば、実施の形態１と同様の効果に加えて、パワーインサータ６０からの電源供給の有無に応じて切り替え部４５を自動的に動作させることが可能になるので切り替え部４５を手動で操作する手間を省くことができると共に、手動操作時の誤動作を防止することができる。
【００４６】
〔実施の形態４〕
次に、実施の形態４について説明する。この実施の形態４は、実施の形態２と同様の分岐器の切り替え部を、実施の形態３と同様に、当該分岐器の下流側に配置された電源供給器から供給された電源によって駆動されるように構成した形態である。ただし、実施の形態４の構成及び動作に関して、特に説明なき場合には実施の形態２、３と同様であるものとし、実施の形態２、３と同様の構成に対しては、必要に応じて、実施の形態２、３の説明で使用したものと同じ符号を付す。
【００４７】
（構成）
図６は、実施の形態４に係る分岐器９０の回路図である。この図６に示すように、分岐器９０には、リレー９１、９２が設けられている。これらリレー９１、９２は、分岐側出力端子４３に接続されており、分岐側出力端子４３の下流側に配置されたパワーインサータ６０から供給され分岐側出力端子４３に入力された電源によって駆動される。このうち、一方のリレー９１は、第１スイッチ４５ａを駆動するものであり、他方のリレー９２は、第２スイッチ４５ｂを駆動するものである。そして、給電時には、リレー９１は、幹線側入力端子４１を分岐部４４の幹線側内部入力端子４４ａに接続し、他方のリレー９２は、分岐側出力端子４３を分岐部４４の分岐側内部出力端子４４ｃに接続する。無給電時には、これらリレー９１、９２は、幹線側入力端子４１を、分岐部４４を介することなく、分岐側出力端子４３に接続する。
【００４８】
（効果）
このように実施の形態４によれば、実施の形態２と同様の効果に加えて、実施の形態３と同様に、パワーインサータ６０からの電源供給の有無に応じて切り替え部４５を自動的に動作させることが可能になるので、切り替え部４５を手動で操作する手間を省くことができると共に、手動操作時の誤動作を防止することができる。
【００４９】
〔実施の形態５〕
次に、実施の形態５について説明する。この実施の形態５は、実施の形態３と同様の分岐器の切り替え部を、電気式スイッチとして構成した形態である。ただし、実施の形態５の構成及び動作に関して、特に説明なき場合には実施の形態３と同様であるものとし、実施の形態３と同様の構成に対しては、必要に応じて、実施の形態３の説明で使用したものと同じ符号を付す。
【００５０】
（構成）
図７は、実施の形態５に係る分岐器１００の回路図である。この図７に示すように、分岐器１００には、切り替え部１０１、直流カットコンデンサ１０２〜１０６、及び直流用コイル１０７が設けられている。切り替え部１０１は、給電時には、幹線側入力端子４１を分岐部４４の幹線側内部入力端子４４ａに接続すると共に、分岐側出力端子４３を分岐部４４の分岐側内部出力端子４４ｃに接続し、無給電時には、幹線側入力端子４１を、分岐部４４を介することなく、分岐側出力端子４３に接続する切り替え手段である。
【００５１】
この切り替え部１０１は、第１〜第４回路ブロック１０８〜１１１を備えて構成されている。概略的には、給電時には、第１回路ブロック１０８及び第２回路ブロック１０９がオンになると共に、第３回路ブロック１１０及び第４回路ブロック１１１がオフになり、無給電時には、第１回路ブロック１０８及び第２回路ブロック１０９がオフになると共に、第３回路ブロック１１０及び第４回路ブロック１１１がオンになる。具体的には、第１回路ブロック１０８は、幹線側入力端子４１と分岐部４４を接続する線路に配置されたピンダイオード１０８ａと、この線路から分岐された線路に配置された交流カットコイル１０８ｂと、ピンダイオード１０８ａ用の電流制限抵抗１０８ｃを備えて構成されている。第２回路ブロック１０９は、分岐部４４と分岐側出力端子４３を接続する線路に配置されたピンダイオード１０９ａと、この線路から分岐された線路に配置された交流カットコイル１０９ｂと、ピンダイオード１０９ａ用の電流制限抵抗１０９ｃを備えて構成されている。第３回路ブロック１１０と第４回路ブロック１１１は、幹線側入力端子４１と分岐側出力端子４３とを接続する線路に配置されたＦＥＴ１１０ａ、１１１ａと、これらＦＥＴ１１０ａ、１１１ａに対してバイアス電圧をかけるための抵抗１１０ｂ、１１０ｃ、１１１ｂ、１１１ｃとを備えて構成されている。直流用コイル１０７は、分岐側出力端子４３からピンダイオード１０８ａに直流電流を流すためのコイルである。
【００５２】
（動作）
このように構成された切り替え部１０１において、給電時には、パワーインサータ６０から分岐側出力端子４３に電圧が印加されると、交流カットコイル１０８ｂと電流制限抵抗１０８ｃを介して、ピンダイオード１０８ａに電流が流れることで、当該ピンダイオード１０８ａのインピーダンスが小さくなると共に、交流カットコイル１０９ｂと電流制限抵抗１０９ｃを介して、ピンダイオード１０９ａに電流が流れることで、当該ピンダイオード１０９ａのインピーダンスが小さくなる。従って、第１回路ブロック１０８及び第２回路ブロック１０９がオンになり、分岐側出力端子４３と幹線側入力端子４１とを分岐部４４を介して接続する線路が実質的に接続状態になる。また、給電時には、パワーインサータ６０から分岐側出力端子４３に電圧が印加されると、ＦＥＴ１１０ａ、１１１ａのゲート−ソース間に負電圧（ソース電圧に対してゲート電圧が低い）が印加され、ＦＥＴ１１０ａ、１１１ａのインピーダンスが大きくなるので、第３回路ブロック１１０及び第４回路ブロック１１１がオフになり、分岐側出力端子４３と幹線側入力端子４１とを直接接続する線路が実質的に非接続状態になる。
【００５３】
一方、無給電時には、パワーインサータ６０から分岐側出力端子４３に電圧が印加されないことから、ピンダイオード１０８ａ、１０９ａに電流が流れないために、当該ピンダイオード１０８ａ、１０９ａのインピーダンスが大きくなり、第１回路ブロック１０８及び第２回路ブロック１０９がオフになって、分岐側出力端子４３と幹線側入力端子４１とを分岐部４４を介して接続する線路が実質的に非接続状態になる。また、この無給電時には、パワーインサータ６０から分岐側出力端子４３に電圧が印加されないことから、ＦＥＴ１１０ａ、１１１ａのゲート−ソース間電圧が０Ｖになり、ＦＥＴ１１０ａ、１１１ａのインピーダンスが小さくなるので、第３回路ブロック１１０及び第４回路ブロック１１１がオンになり、分岐側出力端子４３と幹線側入力端子４１とを直接接続する線路が実質的に接続状態になる。なお、ＦＥＴ１１１ａのソースは、分岐側出力端子４３とピンダイオード１０９ａとを接続する線路にできるだけ短距離で接続することが好ましく、ＦＥＴ１１０ａのソースは、ピンダイオード１０８ａと直流カットコンデンサ１０２を接続する線路にできるだけ短距離で接続することが好ましいが、ＦＥＴ１１１ａのドレインがピンダイオード１０８ａと直流カットコンデンサ１０２を接続する線路に短距離で接続できる場合には、第３回路ブロック１１０は省略してもよい。
【００５４】
（効果）
このように実施の形態５によれば、実施の形態３と同様の効果に加えて、切り替え部１０１を電気式のスイッチとして構成することで、その信頼性を一層向上させることができる。さらに、実施の形態３と同様に、給電の有無に応じて切り替え部１０１を自動的に動作させることが可能になるので、切り替え部１０１を手動で操作する手間を省くことができると共に、手動操作時の誤動作を防止することができる。
【００５５】
〔実施の形態６〕
次に、実施の形態６について説明する。この実施の形態６は、実施の形態５と同様の分岐器に対して、分岐側出力端子ではなく幹線側出力端子からの電源供給を可能とした形態である。ただし、実施の形態６の構成及び動作に関して、特に説明なき場合には実施の形態５と同様であるものとし、実施の形態５と同様の構成に対しては、必要に応じて、実施の形態５の説明で使用したものと同じ符号を付す。
【００５６】
（構成）
図８は、実施の形態６に係る分岐器１２０の回路図である。この図８に示すように、分岐器１２０には、分岐側出力端子４３とピンダイオード１０９ａとを接続する線路に直流カットコンデンサ１２１が配置されており、この線路から幹線側出力端子４２と直流カットコンデンサ１０４との間に至る線路にコイル１２２が設けられている。この構成によれば、給電時には、パワーインサータ６０から幹線側出力端子４２に電圧が印加されると、直流用コイル１０７を介して、ピンダイオード１０８ａに直流電流が流れる。また、コイル１２２を介して、ピンダイオード１０９ａに直流電流が流れると共に、ＦＥＴ１１１ａに直流バイアスが印加され、第１〜第４回路ブロック１０８〜１１１が実施の形態５と同様に動作する。
【００５７】
（効果）
このように実施の形態６によれば、幹線側出力端子４２の下流側にパワーインサータ６０を配置した場合であっても、実施の形態５と同様の効果を得ることができ、光受信システム１の構成の自由度を高めることができる。
【００５８】
〔実施の形態７〕
次に、実施の形態７について説明する。この実施の形態７は、実施の形態５と同様の分岐器に対して、実施の形態２と同様に、分岐側出力端子に加えて幹線側出力端子からの電源供給を可能とした形態である。ただし、実施の形態７の構成及び動作に関して、特に説明なき場合には実施の形態２、５と同様であるものとし、実施の形態２、５と同様の構成に対しては、必要に応じて、実施の形態２、５の説明で使用したものと同じ符号を付す。
【００５９】
（構成）
図９は、実施の形態７に係る分岐器１３０の回路図である。この図９に示すように、分岐器１３０には、チョークコイル４９、７１、７２、７４、ダイオード７３、７５、及びコイル１３１が設けられている。この構成では、分岐側出力端子４３の下流側にパワーインサータ６０を配置した場合、給電時には、チョークコイル４９、ダイオード７５、チョークコイル７４、幹線側入力端子４１を順次経る第１給電路を介して、光受信機１０に電源が給電される。また、幹線側出力端子４２の下流側にパワーインサータ６０を配置した場合、給電時には、チョークコイル７１、ダイオード７３、チョークコイル７２、幹線側入力端子４１を順次経る第１給電路を介して、光受信機１０に電源が給電される。また、ダイオード７５によって、分岐側出力端子４３への電源の逆流が防止され、ダイオード７３によって、幹線側出力端子４２への電源の逆流が防止される。また、幹線側出力端子４２と分岐側出力端子４３の両方から電圧が印加された場合であっても、ダイオード７３、７５を入れているため、電源同士の衝突を防止することができる。コイル１３１は、ピンダイオード１０９ａに直流電流を流すためのコイルである。
【００６０】
（効果）
このように実施の形態７によれば、実施の形態５と同様の効果に加えて、パワーインサータ６０を、幹線側出力端子４２の下流側と分岐側出力端子４３の下流側とのいずれに設けることもできるので、光受信システム１の構成の自由度を高めることができる。
【００６１】
〔実施の形態８〕
次に、実施の形態８について説明する。この実施の形態８は、実施の形態１と同様の分岐器の切り替え部を、分岐器の外部の電源から供給され電源入力端子に入力された電源によって駆動されるように構成した形態である。ただし、実施の形態８の構成及び動作に関して、特に説明なき場合には実施の形態１と同様であるものとし、実施の形態１と同様の構成に対しては、必要に応じて、実施の形態１の説明で使用したものと同じ符号を付す。
【００６２】
（構成）
図１０は、実施の形態８に係る分岐器１４０の回路図である。この図１０に示すように、分岐器１４０には、電源入力端子１４１とチョークコイル１４２が設けられている。電源入力端子１４１は、図示しないＡＣアダプタ（外部電源）から供給されたＤＣ電源の入力を受ける端子である。チョークコイル１４２は、電源入力端子１４１に入力された電源を、分岐部４４及び切り替え部４５を介することなく、幹線側入力端子４１に給電する第２給電路を構成する。この構成によれば、ＡＣアダプタから電源入力端子１４１に供給された電源を、切り替え部４５の切り替え状態に関わらず、幹線側入力端子４１を介して光受信機１０に供給することができる。このため、図１のパワーインサータ６０の機能を分岐器１４０に持たせることができ、パワーインサータ６０を省略することができる。
【００６３】
（効果）
このように実施の形態８によれば、実施の形態１と同様の効果に加えて、分岐器１４０の下流側のパワーインサータ６０を省略することができるので、光受信システム１を一層簡易かつ安価に構成することができる。
【００６４】
〔実施の形態９〕
次に、実施の形態９について説明する。この実施の形態９は、実施の形態３と同様の分岐器の切り替え部を、実施の形態８と同様に、分岐器の外部の電源から供給され電源入力端子に入力された電源によって駆動されるように構成した形態である。ただし、実施の形態９の構成及び動作に関して、特に説明なき場合には実施の形態３、８と同様であるものとし、実施の形態３、８と同様の構成に対しては、必要に応じて、実施の形態３、８の説明で使用したものと同じ符号を付す。
【００６５】
（構成）
図１１は、実施の形態９に係る分岐器１５０の回路図である。この図１１に示すように、分岐器１５０においては、電源入力端子１４１とチョークコイル１４２を接続する線路に、リレー８１、８２が接続されている。そして、外部電源から電源入力端子１４１を介して給電が行われている場合には、リレー８１は、第１スイッチ４５ａを図示点線側に切り替えることによって、幹線側入力端子４１を分岐部４４の幹線側内部入力端子４４ａに接続し、リレー８２は、第２スイッチ４５ｂを図示点線側に切り替えることによって、分岐側出力端子４３を分岐部４４の分岐側内部出力端子４４ｃに接続する。また、外部電源から電源入力端子１４１を介して給電が行われていない場合には、これらリレー８１、８２は、第１スイッチ４５ａと第２スイッチ４５ｂを図示実線側に切り替えることによって、幹線側入力端子４１を、分岐部４４を介することなく、分岐側出力端子４３に接続する。
【００６６】
（効果）
このように実施の形態９によれば、外部電源からの電源供給の有無に応じて切り替え部４５を自動的に動作させることが可能になるので切り替え部４５を手動で操作する手間を省くことができると共に、手動操作時の誤動作を防止することができる。また、パワーインサータ６０を省略することができるので、光受信システム１を一層簡易かつ安価に構成することができる。
【００６７】
〔実施の形態１０〕
次に、実施の形態１０について説明する。この実施の形態１０は、実施の形態６と同様の分岐器の切り替え部を、実施の形態８と同様に、分岐器の外部の電源から供給され電源入力端子に入力された電源によって駆動されるように構成した形態である。ただし、実施の形態１０の構成及び動作に関して、特に説明なき場合には実施の形態６、８と同様であるものとし、実施の形態６、８と同様の構成に対しては、必要に応じて、実施の形態６、８の説明で使用したものと同じ符号を付す。
【００６８】
（構成）
図１２は、実施の形態１０に係る分岐器１６０の回路図である。この図１２に示すように、分岐器１６０には、コイル１６１、１６２が設けられている。この構成によれば、給電時には、電源入力端子１４１に電圧が印加されると、コイル１６１を介して、ピンダイオード１０８ａに直流電流が流れると共に、コイル１６２を介して、ＦＥＴ１１１ａに直流バイアスが印加され、第１〜第４回路ブロック１０８〜１１１が実施の形態６と同様に動作する。
【００６９】
（効果）
このように実施の形態１０によれば、実施の形態６と同様の効果に加えて、パワーインサータ６０を省略することができるので、光受信システム１を一層簡易かつ安価に構成することができる。
【００７０】
〔実施の形態１１〕
次に、実施の形態１１について説明する。この実施の形態１１は、実施の形態２と同様の分岐器の切り替え部を、分岐器の下流側に配置した電源供給器から供給され幹線側出力端子又は分岐側出力端子のいずれかに入力された電源や、分岐器の外部の電源から供給され電源入力端子に入力された電源によって駆動されるように構成した形態である。ただし、実施の形態１１の構成及び動作に関して、特に説明なき場合には実施の形態２と同様であるものとし、実施の形態２と同様の構成に対しては、必要に応じて、実施の形態２の説明で使用したものと同じ符号を付す。
【００７１】
（構成）
図１３は、実施の形態１１に係る分岐器１７０の回路図である。この図１３に示すように、分岐器１７０には、電源入力端子１４１とダイオード１７１が設けられている。この構成では、分岐側出力端子４３の下流側にパワーインサータ６０を配置した場合、給電時には、チョークコイル４９、ダイオード７５、チョークコイル７４、及び幹線側入力端子４１を順次経る第１給電路を介して、光受信機１０に電源が給電される。また、幹線側出力端子４２の下流側にパワーインサータ６０を配置した場合、給電時には、チョークコイル７１、ダイオード７３、チョークコイル７２、及び幹線側入力端子４１を順次経る第１給電路を介して、光受信機１０に電源が給電される。あるいは、図示しないＡＣアダプタ（外部電源）を電源入力端子１４１に接続した場合、給電時には、ダイオード１７１、チョークコイル７２、及び幹線側入力端子４１を順次経る第２給電路を介して、光受信機１０に電源が給電される。また、ダイオード１７１によって、電源入力端子１４１への電源の逆流が防止されると共に、幹線側出力端子４２や分岐側出力端子４３から電圧が印加された場合であっても、電源同士の衝突を防止することができる。なお、ダイオード１７１のカソードを、ダイオード７５とチョークコイル７４の間に接続するようにしてもよい。また、幹線側出力端子４２から幹線側入力端子４１に至る第１給電路と、分岐側出力端子４３から幹線側入力端子４１に至る第１給電路のうち、不要な第１給電路については省略してもよい。
【００７２】
（効果）
このように実施の形態１１によれば、実施の形態２と同様の効果に加えて、幹線側出力端子４２、分岐側出力端子４３、及び電源入力端子１４１のいずれを介しても電源供給を行うことが可能になるので、光受信システム１の構成の自由度を一層高めることができる。
【００７３】
〔実施の形態１２〕
次に、実施の形態１２について説明する。この実施の形態１２は、実施の形態４と同様の分岐器の切り替え部を、実施の形態１１と同様に、分岐器の下流側に配置した電源供給器から供給され幹線側出力端子又は分岐側出力端子のいずれかに入力された電源や、分岐器の外部の電源から供給され電源入力端子に入力された電源によって駆動されるように構成した形態である。ただし、実施の形態１２の構成及び動作に関して、特に説明なき場合には実施の形態４、１１と同様であるものとし、実施の形態４、１１と同様の構成に対しては、必要に応じて、実施の形態４、１１の説明で使用したものと同じ符号を付す。
【００７４】
（構成）
図１４は、実施の形態１２に係る分岐器１８０の回路図である。この図１４に示すように、分岐器１８０には、電源入力端子１４１とダイオード１７１が設けられている。この構成によれば、幹線側出力端子４２又は分岐側出力端子４３の下流側にパワーインサータ６０を配置し、あるいは、電源入力端子１４１に外部電源を接続することで、幹線側入力端子４１を介して光受信機１０に電源供給を行うことが可能になる。
【００７５】
（効果）
このように実施の形態１２によれば、実施の形態４と同様の効果に加えて、幹線側出力端子４２、分岐側出力端子４３、及び電源入力端子１４１のいずれを介しても電源供給を行うことが可能になるので、光受信システム１の構成の自由度を一層高めることができる。
【００７６】
〔実施の形態１３〕
次に、実施の形態１３について説明する。この実施の形態１３は、実施の形態７と同様の分岐器の切り替え部を、実施の形態１１と同様に、分岐器の下流側に配置した電源供給器から供給され幹線側出力端子又は分岐側出力端子のいずれかに入力された電源や、分岐器の外部の電源から供給され電源入力端子に入力された電源によって駆動されるように構成した形態である。ただし、実施の形態１３の構成及び動作に関して、特に説明なき場合には実施の形態７、１１と同様であるものとし、実施の形態７、１１と同様の構成に対しては、必要に応じて、実施の形態７、１１の説明で使用したものと同じ符号を付す。
【００７７】
（構成）
図１５は、実施の形態１３に係る分岐器１９０の回路図である。この図１５に示すように、分岐器１９０には、電源入力端子１４１とダイオード１７１が設けられている。この構成によれば、幹線側出力端子４２又は分岐側出力端子４３の下流側にパワーインサータ６０を配置し、あるいは、電源入力端子１４１に外部電源を接続することで、幹線側入力端子４１を介して光受信機１０に電源供給を行うことが可能になる。
【００７８】
（効果）
このように実施の形態１３によれば、実施の形態７と同様の効果に加えて、幹線側出力端子４２、分岐側出力端子４３、及び電源入力端子１４１のいずれを介しても電源供給を行うことが可能になるので、光受信システム１の構成の自由度を一層高めることができる。
【００７９】
〔実施の形態１４〕
次に、実施の形態１４について説明する。この実施の形態１４は、実施の形態１の分岐器に分配機能を統合することによって構成された分配器に係る形態である。ただし、実施の形態１４の構成及び動作に関して、特に説明なき場合には実施の形態１と同様であるものとし、実施の形態１と同様の構成に対しては、必要に応じて、実施の形態１の説明で使用したものと同じ符号を付す。
【００８０】
（構成）
図１６は、実施の形態１４に係る光受信システム２の構成図である。この図１６に示すように、光受信システム２は、光受信機１０と、１台の告知放送受信機２０と、複数台のテレビ受像機３０とを、分配器２００を介して、図示のように接続して構成されている。
【００８１】
（構成−分配器）
分配器２００は、上流側から入力された信号を分岐及び分配して下流側に分配出力する伝送機器である。図１７には、分配器２００の回路図を示す。この図１７に示すように、分配器２００は、図２の分岐器４０の直流カットコンデンサ４７と幹線側出力端子４２に代えて、分配部２０１、直流カットコンデンサ４７ａ〜４７ｄ、及び第１から第４幹線側出力端子４２ａ〜４２ｄを備えて構成されている。
【００８２】
分配部２０１は、従来の一般的な分配器と同様の機能を有するもので、第１から第４幹線側出力端子４２ａ〜４２ｄと分岐部４４の幹線側内部出力端子４４ｂとの間に配置されている。この分配部２０１は、図１８の回路図に示すように、上流側からの信号の入力を受ける幹線側内部入力端子２０１ａと、下流側へ信号を出力する第１から第４の幹線側内部出力端子２０１ｂ〜２０１ｅと、高周波トランス２０１ｆ〜２０１ｊと、コンデンサ２０１ｍ、２０１ｎを備える。幹線側内部入力端子２０１ａは、分岐部４４の幹線側内部出力端子４４ｂに接続され、第１から第４の幹線側内部出力端子２０１ｂ〜２０１ｅは、第１から第４幹線側出力端子４２ａ〜４２ｄにそれぞれ接続されている。この構成において、動作は基本的には実施の形態１の分岐器４０と同じであり、給電時には、分岐部４４の幹線側内部出力端子４４ｂから出力された信号が、分配部２０１で分配されて各第１から第４幹線側出力端子４２ａ〜４２ｄを介してそれぞれ出力される。なお、本実施の形態では、分配部２０１における分配数を４としているが、この分配数は任意に変更できる。また、分配器２００を非電通とする場合には、図１７のチョークコイル４９を省略してもよく、このように分配器２００を非電通とした場合であっても、光受信機１０と分配器２００の相互間にパワーインサータ６０を配置することで、光受信機１０への電源供給を行うことが可能になる。あるいは、第１から第４幹線側出力端子４２ａ〜４２ｄのいずれかと幹線側入力端子４１とをチョークコイル４９を介して接続してもよく、この場合には、パワーインサータ６０をこれら第１から第４幹線側出力端子４２ａ〜４２ｄのいずれかの下流側に配置することで、光受信機１０への電源供給を行うことが可能になる。
【００８３】
（効果）
このように実施の形態１４によれば、実施の形態１と同様の効果に加えて、分岐機能と分配機能を統合することができ、分配器を別途に設ける必要がなくなるので、光受信システム２を一層簡易かつ安価に構成することができる。
【００８４】
〔実施の形態１５〕
最後に、実施の形態１５について説明する。この実施の形態１５は、実施の形態１４と同様の分配器に対して、実施の形態２と同様に、さらに、幹線側出力端子からの電源供給を可能とした形態である。ただし、実施の形態１５の構成及び動作に関して、特に説明なき場合には実施の形態２、１４と同様であるものとし、実施の形態２、１４と同様の構成に対しては、必要に応じて、実施の形態２、１４の説明で使用したものと同じ符号を付す。
【００８５】
（構成）
図１９は、実施の形態１５に係る分配器２１０の回路図である。この図１９に示すように、分配器２１０において、幹線側入力端子４１と第１幹線側出力端子４２ａとを接続する線路には、チョークコイル７１、７２とダイオード７３が設けられており、幹線側入力端子４１と分岐側出力端子４３とを接続する線路には、実施の形態１のチョークコイル４９に加えて、チョークコイル７４とダイオード７５が設けられている。この構成によれば、パワーインサータ６０を、第１幹線側出力端子４２ａの下流側と分岐側出力端子４３の下流側とのいずれに設けた場合であっても、光受信機１０への電源供給を行うことができ、光受信システム１の構成の自由度を高めることができる。なお、幹線側入力端子４１と第２から第４幹線側出力端子４２ｂ〜４２ｄとを接続する線路を設け、この線路にチョークコイル７１、７２とダイオード７３を設けることにより、第２から第４幹線側出力端子４２ｂ〜４２ｄの下流側にパワーインサータ６０を配置できるようにしてもよい。
【００８６】
（効果）
このように実施の形態１５によれば、実施の形態２と同様の効果に加えて、分岐機能と分配機能を統合することができ、分配器を別途に設ける必要がなくなるので、光受信システム２を一層簡易かつ安価に構成することができる。
【００８７】
〔各実施の形態に対する変形例〕
以上、本発明の各実施の形態について説明したが、本発明の具体的な構成及び手段は、特許請求の範囲に記載した各発明の技術的思想の範囲内において、任意に改変及び改良することができる。以下、このような変形例について説明する。
【００８８】
（解決しようとする課題や発明の効果について）
まず、発明が解決しようとする課題や発明の効果は、前記した内容に限定されるものではなく、本発明によって、前記に記載されていない課題を解決したり、前記に記載されていない効果を奏することもでき、また、記載されている課題の一部のみを解決したり、記載されている効果の一部のみを奏することがある。
【００８９】
（具体的な回路構成について）
光受信機１０、分岐器４０、７０、８０、９０、１００、１２０、１３０、１４０、１５０、１６０、１７０、１８０、１９０、分岐部４４、分配器２００、２１０、及び分配部２０１の具体的な回路構成としては、上記説明したこれらの機能を奏することができる限りにおいて、各実施の形態で例示した回路構成以外にも、公知の回路構成を適用することができる。
【００９０】
（各実施の形態の相互の関係について）
各実施の形態は、相互に組み合わせることもできる。例えば、図１７、１９に示した分配部２０１を、図５から図１５に示した分岐器８０、９０、１００、１２０、１３０、１４０、１５０、１６０、１７０、１８０、１９０に同様に設けてもよい。
（付記）
付記１の伝送機器は、上流側から入力された信号を分岐又は分配して下流側に出力する伝送機器であって、上流側からの信号の入力を受ける幹線側入力端子と、下流側へ信号を出力する幹線側出力端子と、下流側へ信号を出力する分岐側出力端子と、分岐部と、切り替え部とを備え、前記分岐部は、上流側からの信号の入力を受ける幹線側内部入力端子と、下流側へ信号を出力するものであって前記幹線側出力端子に接続された幹線側内部出力端子と、下流側へ信号を出力する分岐側内部出力端子とを備え、前記切り替え部は、当該伝送機器に対する給電が行われている場合には、前記幹線側入力端子を前記分岐部の幹線側内部入力端子に接続すると共に、前記分岐側出力端子を前記分岐部の前記分岐側内部出力端子に接続し、当該伝送機器に対する給電が行われていない場合には、前記幹線側入力端子を、前記分岐部を介することなく、前記分岐側出力端子に接続する。
付記２の伝送機器は、付記１に記載の伝送機器において、前記幹線側出力端子又は前記分岐側出力端子に入力された電源を、前記分岐部及び前記切り替え部を介することなく、前記幹線側入力端子に給電する第１給電路を備える。
付記３の伝送機器は、付記１又は２に記載の伝送機器において、前記切り替え部は、当該伝送機器の下流側に配置された電源供給器から供給され前記幹線側出力端子又は前記分岐側出力端子に入力された電源によって駆動され、前記電源供給器から給電が行われている場合には、前記幹線側入力端子を前記分岐部の幹線側内部入力端子に接続すると共に、前記分岐側出力端子を前記分岐部の前記分岐側内部出力端子に接続し、前記電源供給器から給電が行われていない場合には、前記幹線側入力端子を、前記分岐部を介することなく、前記分岐側出力端子に接続する。
付記４の伝送機器は、付記１から３のいずれか一項に記載の伝送機器において、外部電源から供給された電源の入力を受ける電源入力端子と、前記電源入力端子に入力された電源を、前記分岐部及び前記切り替え部を介することなく、前記幹線側入力端子に給電する第２給電路を備える。
付記５の伝送機器は、付記４に記載の伝送機器において、前記切り替え部は、前記電源入力端子に入力された電源によって駆動され、前記外部電源から給電が行われている場合には、前記幹線側入力端子を前記分岐部の幹線側内部入力端子に接続すると共に、前記分岐側出力端子を前記分岐部の前記分岐側内部出力端子に接続し、前記外部電源から給電が行われていない場合には、前記幹線側入力端子を、前記分岐部を介することなく、前記分岐側出力端子に接続する。
付記６の伝送機器は、付記１から５のいずれか一項に記載の伝送機器において、前記幹線側出力端子を複数設け、複数の前記幹線側出力端子と前記分岐部の前記幹線側内部出力端子との間に、分配部を設けた。
付記７の光受信システムは、光伝送路を介して送信された光信号をＲＦ信号又はＦＭ信号に変換して出力する光受信機と、前記光受信機にて変換されたＲＦ信号を受信するテレビ受像機と、前記光受信機にて変換されたＲＦ信号又はＦＭ信号を受信する告知放送受信機と、前記光受信機にて変換されたＲＦ信号とＦＭ信号を分岐又は分配し、当該分岐又は分配されたＲＦ信号を前記テレビ受像機に送信すると共に、当該分岐又は分配されたＲＦ信号とＦＭ信号を前記告知放送受信機に送信する伝送機器とを備えた光受信システムであって、前記伝送機器を、前記付記１から６のいずれか一項に記載の伝送機器として構成した。
付記８の光受信システムは、付記７に記載の光受信システムにおいて、前記伝送機器と前記告知放送受信機との相互間に、前記伝送機器を介して前記光受信機に対して電源を供給するための電源供給器を配置した。
（付記の効果）
このように、付記１に記載の伝送機器によれば、伝送機器に対する給電が行われている場合には、伝送機器の幹線系統を介して信号をテレビ受像機に出力できるので、伝送機器に対して分配器等を介して複数台のテレビ受像機を接続した場合であっても、各テレビ受像機に対して十分な出力の信号を伝送することができる。また、伝送機器に対する給電が行われていない場合には、分岐部を介することなく、信号を告知放送受信機に出力できるので、分岐部における信号損失を生じさせることなく、告知放送受信機に対して十分な出力の信号を伝送することができる。従って、伝送機器に対して、給電時と無給電時の各々に適した形態で、テレビ受像機や告知放送受信機の接続を行うことができる。
また、付記２に記載の伝送機器によれば、幹線側出力端子又は分岐側出力端子に入力された電源を、切り替え部の切り替え状態に関わらず、幹線側入力端子を介して、その上流の光受信機に供給することができる。従って、切り替え部にサージが発生しなくなり、サージによって切り替え部にストレスが生じることを防止できる。また、電源を分岐器を介して常に光受信機に給電することで、光受信機を自己発熱させて耐湿度性を高めておくことで、光受信機が湿度によりダメージを受けることを防止できる。
また、付記３に記載の伝送機器によれば、電源供給器からの電源供給の有無に応じて切り替え部を自動的に動作させることが可能になるので切り替え部を手動で操作する手間を省くことができると共に、手動操作時の誤動作を防止することができる。
また、付記４に記載の伝送機器によれば、伝送機器の下流側の電源供給器を省略することができるので、光受信システムを一層簡易かつ安価に構成することができる。
また、付記５に記載の伝送機器によれば、外部電源からの電源供給の有無に応じて切り替え部を自動的に動作させることが可能になるので切り替え部を手動で操作する手間を省くことができると共に、手動操作時の誤動作を防止することができる。
また、付記６に記載の伝送機器によれば、分岐機能と分配機能を統合することができ、分配器を別途に設ける必要がなくなるので、光受信システムを一層簡易かつ安価に構成することができる。
また、付記７に記載の光受信システムによれば、伝送機器に対する給電が行われている場合には、伝送機器の幹線系統を介して信号をテレビ受像機に出力できるので、伝送機器に対して分配器等を介して複数台のテレビ受像機を接続した場合であっても、各テレビ受像機に対して十分な出力の信号を伝送することができる。また、伝送機器に対する給電が行われていない場合には、分岐部を介することなく、信号を告知放送受信機に出力できるので、分岐部における信号損失を生じさせることなく、告知放送受信機に対して十分な出力の信号を伝送することができる。従って、伝送機器に対して、給電時と無給電時の各々に適した形態で、テレビ受像機や告知放送受信機の接続を行うことができる。
また、付記８に記載の光受信システムによれば、伝送機器を配置した場合においても、伝送機器を使用していない従来の光受信システムと同様に、電源供給器の電源により光受信機を動作させることが可能になる。
【符号の説明】
【００９１】
１、２、３００  光受信システム
１０、３０１  光受信機
１１  出力端子
２０、３０４  告知放送受信機
３０、３０３  テレビ受像機
４０、７０、８０、９０、１００、１２０、１３０、１４０、１５０、１６０、１７０、１８０、１９０、３０２  分岐器
４１  幹線側入力端子
４２  幹線側出力端子
４２ａ  第１幹線側出力端子
４２ｂ  第２幹線側出力端子
４２ｃ  第３幹線側出力端子
４２ｄ  第４幹線側出力端子
４３  分岐側出力端子
４４  分岐部
４４ａ、２０１ａ  幹線側内部入力端子
４４ｂ  幹線側内部出力端子
４４ｃ  分岐側内部出力端子
４４ｄ、２０１ｆ〜２０１ｊ  高周波トランス
４４ｅ、１１０ｂ、１１０ｃ、１１１ｂ、１１１ｃ  抵抗
４５、１０１  切り替え部
４６〜４８、４７ａ〜４７ｄ、１０２〜１０６、１２１  直流カットコンデンサ
４９、７１、７２、７４、８３、１４２  チョークコイル
５０  分配器
６０  パワーインサータ
７３、７５、１７１  ダイオード
８１、８２、９１、９２  リレー
１０７  直流用コイル
１０８  第１回路ブロック
１０９  第２回路ブロック
１１０  第３回路ブロック
１１１  第４回路ブロック
１０８ａ、１０９ａ  ピンダイオード
１０８ｂ、１０９ｂ  交流カットコイル
１０８ｃ、１０９ｃ  電流制限抵抗
１１０ａ、１１１ａ  ＦＥＴ
１２２、１３１、１６１、１６２  コイル
１４１  電源入力端子
２００、２１０  分配器
２０１  分配部
２０１ｂ  第１幹線側内部出力端子
２０１ｃ  第２幹線側内部出力端子
２０１ｄ  第３幹線側内部出力端子
２０１ｅ  第４幹線側内部出力端子
２０１ｍ、２０１ｎ  コンデンサ
【図１】
0005745328.tif 000002
【図２】
0005745328.tif 000003
【図３】
0005745328.tif 000004
【図４】
0005745328.tif 000005
【図５】
0005745328.tif 000006
【図６】
0005745328.tif 000007
【図７】
0005745328.tif 000008
【図８】
0005745328.tif 000009
【図９】
0005745328.tif 000010
【図１０】
0005745328.tif 000011
【図１１】
0005745328.tif 000012
【図１２】
0005745328.tif 000013
【図１３】
0005745328.tif 000014
【図１４】
0005745328.tif 000015
【図１５】
0005745328.tif 000016
【図１６】
0005745328.tif 000017
【図１７】
0005745328.tif 000018
【図１８】
0005745328.tif 000019
【図１９】
0005745328.tif 000020
【図２０】
0005745328.tif 000021